(57)【要約】【課題】結露の発生を抑えるカーテンを提供する。【解決手段】一対の布部材と、一対の布部材の内側に配置される線状ヒーターと、一対の布部材の少なくともいずれかに配置され、線状ヒーターを保持する保持部材と、線状ヒーターの温度を制御する調温部材と、を有するカーテンとする。この場合において、線状ヒーターは、布部材の折り目に沿って蛇行するよう配置されることがこのましい。またこの場合において保持部材は、前記線状ヒーターが摺動するよう配置されることが好ましい。【選択図】図２
0003163921.tif 000002
【実用新案登録請求の範囲】
【請求項１】
一対の布部材と、前記一対の布部材の内側に配置される線状ヒーターと、
前記一対の布部材の少なくともいずれかに配置され、線状ヒーターを保持する保持部材と、
前記線状ヒーターの温度を制御する調温部材と、を有するカーテン。
【請求項２】
前記線状ヒーターは、前記布部材の折り目に沿って蛇行するよう配置される請求項１記載のカーテン。
【請求項３】
前記保持部材は、前記線状ヒーターが摺動するよう配置される請求項１記載のカーテン。
【考案の詳細な説明】
【技術分野】
【０００１】
本考案は、カーテンに関する。
【背景技術】
【０００２】
カーテンは、室内の窓近傍に配置され、外光を遮断したり、室内を外から覗かれないようプライバシー保護するために用いられる。またカーテンは、例えば冬において、冷たい外気が窓ガラス等を介して室内に伝わらないためにするためにも用いられるものであって、我々の生活における必需品である。
【０００３】
一般にカーテンは、折りたためるよう折り目が付された布部材と、布部材上部に配置される複数の留め具とを有して構成されており、この留め具を室内の窓近傍に配置されたレールにおいて配置される摺動可能な掛け具に引っ掛けることでカーテンを開閉できるようになる。
【考案の概要】
【考案が解決しようとする課題】
【０００４】
ところで、一般にカーテンは上記のとおり、冷たい外気が窓ガラス等を介して室内に伝わらないようにするために用いられるが、室内と外気との温度差が大きい場合、窓ガラス等に結露が生じてしまうといった課題がある。結露は不必要に壁や床などを濡らし、家屋の腐食等といった好ましくない結果をもたらす場合がある。
【０００５】
そこで、本考案は、上記課題を鑑み、結露の発生を抑えるカーテンを提供することを目的とする。
【課題を解決するための手段】
【０００６】
上記課題を解決する第一の観点に係るカーテンは、一対の布部材と、一対の布部材の内側に配置される線状ヒーターと、一対の布部材の少なくともいずれかに配置され、線状ヒーターを保持する保持部材と、線状ヒーターの温度を制御する調温部材と、を有する。
【考案の効果】
【０００７】
以上、本考案によると、結露の発生を抑えるカーテンを提供することができる。
【図面の簡単な説明】
【０００８】
【図１】実施形態に係るカーテンの概略を示す図である。
【図２】実施形態に係るカーテンの内側の概略を示す図である。
【図３】実施携帯に係る保持部材周囲の部分拡大図である。
【考案を実施するための最良の形態】
【０００９】
以下、本考案を実施するための考案について、図面を用いて詳細に説明する。なお、本考案は、多くの異なる形態による実施が可能であって、以下に示す実施形態、実施例の例示にのみ限定されるわけではない。
【００１０】
図１は、本実施形態に係るカーテン（以下「本カーテン」という。）１の概略を示す図であり、図２は、本実施形態に係るカーテンの一方の内側を示す概略図である。本カーテン１は、一対の布部材２と、一対の布部材２の内側に配置される線状ヒーター３と、一対の布部材２の少なくともいずれかに配置され、線状ヒーター３を保持する保持部材４と、線状ヒーターの温度を制御する調温部材５と、を有する。
【００１１】
本カーテンにおいて、布部材２は、外部からの光を弱める又は遮断することができるものであって、好ましくは耐熱性、耐火性を有するものである。布部材２としては、限定されるわけではないが例えば綿、ポリエステル、アクリル、レーヨンなどを用いることができる。
【００１２】
また本カーテンでは、少なくとも二つの布部材２が合わさって構成されている。この構成とすることで、一対の布部材２の間に線状ヒーター３を配置することができる。この結果、線状ヒーターを隠すことができるとともに、外部からの衝撃に対して保護することができる。なお本実施形態において「一対の布部材」には、大きな一枚の布部材を二つに折り、実質的に二つの布部材とした場合も含まれる。
【００１３】
また本カーテンでは、布部材２は、折りたためるよう折り目２１が付されており、布部材２の上部に複数の留め具２２が配置されている。このような構成を採用することで、家屋の窓上部の近傍にレール及び掛け具を配置し、スライドさせることでカーテンをきれいに折りたたむことができるようになる。
【００１４】
また本実施形態において、線状ヒーター３は、一対の布部材２の内側に配置される。より具体的には、一対の布部材の少なくともいずれかの内側に複数の保持部材４が配置され、この複数の保持部材４に線状ヒーター３を保持させることで配置される。
【００１５】
本実施形態において、線状ヒーター３は、線状であって、発熱するものであれば特に限定されないが、例えば通電する発熱する線状の金属と、この金属の周囲にゴムなどの絶縁体を配置しているもの等が好ましい。なお「線状」は、紐状のものであることが好ましいが、扁平な帯状のものであっても本明細書にいう「線状」に含まれる。
【００１６】
また本実施形態において、保持部材４は、上記のとおり線状ヒーター３を保持するために用いられるものであり、特に限定されるわけではないが、例えば図３で示すように、両辺が布部材２に固定された細長い角形の布であることは好まし一例である。このようにすると、線状ヒーターを支持することができる一方、完全に固定しているわけではないため、線状ヒーターがその内部で摺動（移動）することが可能となり、カーテンの開閉による変形に柔軟に対応することができるようになるといった利点がある。
【００１７】
また線状ヒーター３の配置は、特に限定されるわけではないが、布部材の折り目又は襞に沿って蛇行するよう配置されていることが好ましい。このようにすることで、カーテンをレールに沿って折り畳む際、不必要に折り畳みにくくすることがない。
【００１８】
また本実施形態において、線状ヒーターには、線状ヒーターの温度を制御する調温部材（サーモスタット）５が配置されていることが好ましい。調温部材を配置することで温度が上がりすぎてしまった場合に消音を防止することができるといった効果がある。
【００１９】
以上、本実施形態に係るカーテンによると、線状ヒーターによりカーテンの温度を上昇させ、窓ガラス近傍を温めることが可能となり、窓ガラス等に付着する水滴の発生を抑えることができる。具体的には、本考案によると、カーテンの裏地に取り付け内部にヒーターを配置し、安全温度の分布を図り加温カーテンで仕切られた部分の空気中の水蒸気を蒸発させ温度の降下を図り、結露の発生を防止することができる。
【産業上の利用可能性】
【００２０】
本考案は、カーテンとして産業上の利用可能性がある。
【符号の説明】
【００２１】
１…カーテン、２…布部材、３…線状ヒーター、４…保持部材、５…調温部材
【図１】
0003163921.tif 000003
【図２】
0003163921.tif 000004
【図３】
0003163921.tif 000005